(57)【要約】【課題】導光板が熱膨張や移動等によって対向配置された光源からずれたとしても、輝度分布を最適に調整することができる。【解決手段】エッジバックライト装置１は、導光板２の上下方向に対向する上面２ａ、下面２ｂに隙間ｓ１、ｓ２を開けてＬＥＤバー３ＡとＬＥＤバー３Ｂをそれぞれ配設した。上側のＬＥＤバー３Ａの両端部にＬＥＤバー３Ａから導光板２の上面２ａまでの距離を測定する距離検出センサ２０を固定した。下側のＬＥＤバー３Ｂには距離検出センサを設置しない。上側のＬＥＤバー３Ａから導光板２の上面までの測定された距離Ｄ１に基づいてＬＥＤバー３ＡとＬＥＤバー３Ｂの各発光量が均一な輝度分部になるよう演算する発光量制御部２１を備えた。【選択図】図１
2019153515.tif 000002
【特許請求の範囲】
【請求項１】
導光板と、
前記導光板の対向する側面に配設された第一光源及び第二光源と、
前記導光板に対向する位置に配設されていて前記第一光源及び／または第二光源から前記導光板までの距離を測定する距離検出センサと、
前記第一光源及び／または第二光源から前記導光板までの測定距離に基づいて前記第一光源及び第二光源の発光量を最適な輝度分布になるよう調整する発光量制御部と、
を備えたことを特徴とするエッジバックライト装置。
【請求項２】
前記発光量制御部では、前記第一光源及び第二光源のうち、前記導光板までの測定距離が長い方の光源の発光量を増大させ、前記導光板までの測定距離が短い方の光源の発光量を減少させるように調整する請求項１に記載されたエッジバックライト装置。
【請求項３】
前記距離検出センサは前記第一光源及び第二光源にそれぞれ固定されている請求項１または２に記載されたエッジバックライト装置。
【請求項４】
前記第一光源及び第二光源の一方に前記距離検出センサが固定され、他方には前記導光板が接触しないように規制するストッパーが設置されている請求項１または２に記載されたエッジバックライト装置。
【請求項５】
前記導光板が横置きの場合には、前記第一光源及び／または第二光源は前記導光板の上下方向の位置に設置されている請求項１から４のいずれか１項に記載されたエッジバックライト装置。
【請求項６】
前記導光板が縦置きの場合には、前記第一光源及び／または第二光源は前記導光板の左右方向の位置に設置されている請求項１から４のいずれか１項に記載されたエッジバックライト装置。
【請求項７】
請求項１から６のいずれか1項に記載された前記エッジバックライト装置が搭載されていることを特徴とする液晶表示装置。
【請求項８】
導光板の対向する側面に第一光源と第二光源がそれぞれ配設されたエッジバックライト装置の輝度調整方法において、
前記第一光源及び／または第二光源から前記導光板までの距離を距離検出センサで測定する工程と、
前記第一光源から前記導光板までの第一の距離と前記第二光源から導光板までの第二の距離との差を演算する工程と、
前記第一の距離と前記第二の距離の長い方の光源の発光量を増大させ、短い方の光源の発光量を減少させることで、前記導光板の輝度分布を調整する工程と、
を備えたことを特徴とするエッジバックライト装置の輝度調整方法。
【発明の詳細な説明】
【技術分野】
【０００１】
本発明は、液晶表示装置等に用いられるエッジバックライト装置とこれを搭載した液晶表示装置、そしてエッジバックライト装置の輝度調整方法に関する。
【背景技術】
【０００２】
従来、エッジ式のバックライト装置を備えた液晶表示装置（ＬＣＤ）は光源として例えばＬＥＤ素子を一列に配列したものを用いている。近年、液晶表示装置は薄型化が進んでおり、導光板も薄型化しているため、ＬＥＤ素子の発熱による熱変形によって導光板の応力負荷が増大し熱膨張する。
【０００３】
エッジバックライト方式を用いた液晶表示装置は、ＬＥＤ光源から導光板内に入射した光を反射シートで反射させ、白色のパターンを印刷等により表面に形成した導光板により表示画面内の輝度分布が均一となるようにしている。導光板はその材料の性質上、熱による膨張等を考慮する必要があるため、ＬＥＤ光源に接触しないよう一定量の隙間を設ける必要がある。しかも、導光板は熱によって膨張する際に反りや変形等を防ぐために、完全な固定構造にすることなく一定量のガタツキ(隙間)を持った構造となっている。
【０００４】
例えば、特許文献１に記載された液晶表示装置では、熱変形により膨張する導光板によってＬＥＤ光源が損傷することを抑えるために、導光板におけるＬＥＤ素子の配列方向に直交する両側面に切り欠けを設け、支持部材によって導光板の切り欠けを係止保持している。これによって導光板が熱膨張してもＬＥＤ光源側に伸張することを規制してＬＥＤ光源と接触することを阻止している。
【０００５】
また、図５に示す横置き状態のエッジバックライト装置では、導光板１００の上下に隙間を開けてＬＥＤ光源１０４を対向配設している。バックライトシャーシ１０３に導光板の保持金具１０１を設置し、導光板１００の両側部の中央に形成した凹部１０２を保持金具１０１で係止している。しかも、導光板１００が熱膨張してもＬＥＤ光源１０４と接触しないよう、導光板１００と上下のＬＥＤ光源１０４との間の隙間にストッパー１０５をそれぞれ設置している。
図６に示す例では、長方形板状の導光板１００の四隅の角部を伸縮性のある保持用ラバー１０６で保持し、しかも導光板１００がＬＥＤ光源１０４と接触しないようストッパー１０５で保持している。
【先行技術文献】
【特許文献】
【０００６】
【特許文献１】特開２０１２−１６４５０７号公報
【発明の概要】
【発明が解決しようとする課題】
【０００７】
ところで、導光板表面に形成された白色のパターンは、ＬＥＤ光源１０４と導光板１００とが最適な位置関係にある状態に合せて設計されている。そのため、ＬＥＤ光源１０４の熱による膨張等によって導光板１００と上下のＬＥＤ光源１０４との距離が最適値からずれてしまうと、表示画面の最適な輝度分布が損なわれてしまうと言う課題が生じる。
【０００８】
例えば図７において、設計時のエッジバックライト装置の構成では、導光板１００の上下方向位置がバックライトシャーシ１０３の中央高さ位置にあり、上下に配置されたＬＥＤ光源１０４から導光板１００の上下面までの距離が等距離にある。そして、導光板１００は両側部に設けた凹部１０２でバックライトシャーシ１０３の保持金具１０１に吊り下げられると、自重で下方にシフトするため上下のＬＥＤ光源１０４から導光板１００までの距離が変化してしまう（図８参照）。
【０００９】
また、ＬＥＤ光源１０４の熱によって導光板１００が膨張すると、やはり上下のＬＥＤ光源１０４から導光板１００までの距離が変化してしまう（図９参照）。また、図１０に示すように液晶表示装置を縦置きした場合、導光板１００は凹部１０２と保持金具１０１との間で横方向にスライドしてしまうことがあった。
上述したように、エッジバックライト装置を横置きや縦置きした場合、上下方向または左右方向に配置されたＬＥＤ光源１０４に対して導光板１００の位置が熱膨張や重力等に起因してずれたりすると、導光板を通過して表示画面に至る入射光の輝度分布が不均一になり、最適な輝度分布が損なわれるという問題が生じる。  
【００１０】
本発明は、上述した課題に鑑みてなされたものであり、導光板が熱膨張や移動等によって対向配置された光源からずれたとしても、輝度分布を最適に調整することができるようにしたエッジバックライト装置、液晶表示装置及びエッジバックライト装置の輝度調整方法を提供することを目的としている。
【課題を解決するための手段】
【００１１】
本発明によるエッジバックライト装置では、導光板と、導光板の対向する側面に配設された第一光源及び第二光源と、導光板に対向する位置に配設されていて第一光源及び／または第二光源から導光板までの距離を測定する距離検出センサと、第一光源及び／または第二光源から導光板までの測定距離に基づいて第一光源及び第二光源の発光量を最適な輝度分布になるよう調整する発光量制御部と、を備えたことを特徴とする。
【００１２】
本発明による液晶表示装置は、上述したエッジバックライト装置が搭載されていることを特徴とする。
【００１３】
本発明によるエッジバックライト装置の輝度調整方法は、導光板の対向する側面に第一光源と第二光源がそれぞれ設置されたエッジバックライト装置の輝度調整方法において、第一光源及び／または第二光源から導光板までの距離を距離検出センサで測定する工程と、第一光源から導光板までの第一の距離と第二光源から導光板までの第二の距離との差を演算する工程と、第一の距離と第二の距離の長い方の光源の発光量を増大させ、短い方の光源の発光量を減少させることで、導光板の輝度分布を調整する工程と、を備えたことを特徴とする。
【発明の効果】
【００１４】
本発明に係るエッジバックライト装置、液晶表示装置、エッジバックライト装置の輝度調整方法によれば、導光板の熱膨張や移動等に応じて第一光源及び第二光源と導光板との間の距離の変化を距離検出センサで検知して第一光源及び第二光源の発光量を調整することで、導光板の輝度分布が最適になるよう調整することができる。
【図面の簡単な説明】
【００１５】
【図１】本発明の第一実施形態による横置き状態のエッジバックライト装置の正面図である。
【図２】図1に示すバックライト装置を備えた液晶表示装置の縦断面図である。
【図３】第二実施形態によるエッジバックライト装置の正面図である。
【図４】第三実施形態によるエッジバックライト装置の正面図である。
【図５】第一従来例による横置き状態のエッジバックライト装置の正面図である。
【図６】第二従来例によるエッジバックライト装置の正面図である。
【図７】第三従来例によるエッジバックライト装置の正面図である。
【図８】第四従来例によるエッジバックライト装置の正面図である。
【図９】第五従来例によるエッジバックライト装置の正面図である。
【図１０】第六従来例による縦置き状態のエッジバックライト装置の正面図である。
【発明を実施するための形態】
【００１６】
以下、本発明の各実施形態によるエッジバックライト装置について説明する。
図１及び図２は第一実施形態によるエッジバックライト装置１を示すものである。
本実施形態によるエッジバックライト装置１は矩形板状、例えば長方形板状をなす導光板２が横置きされたものである。導光板２の側面である上面２ａ及び下面２ｂに対向する位置に光源として例えば複数のＬＥＤ素子が基板に一列に配列されたＬＥＤバー３Ａ、ＬＥＤバー３Ｂがそれぞれ設置されている。導光板２の上面２ａ、下面２ｂは光の入射面である。また、光源はＬＥＤ素子に限定されるものではなく、冷陰極線管等、適宜の光源を採用できる。
図２において、本実施形態によるエッジバックライト装置１は液晶表示装置５の内面に設置されている。液晶表示装置５はエッジバックライト装置１における導光板２の背面に反射シート６が設置され、前面にプリズム等の光学シート類が設置されている。導光板２の前方に液晶表示パネル７が設置されている。これらの部品は筐体８内に収納されている。
【００１７】
次にエッジバックライト装置１の構成を図１及び図２により詳細に説明する。
図１に示すエッジバックライト装置１において、導光板２の背面側にバックライトシャーシ１０が設置されている。バックライトシャーシ１０の前面側に設置された導光板２の上面２ａと上側のＬＥＤバー３Ａとの間には所定の隙間ｓ１が形成され、導光板２の下面２ｂと下側のＬＥＤバー３Ｂとの間にも所定の隙間ｓ２が形成されている。設計段階では、導光板２の上面２ａ及び下面２ｂはバックライトシャーシ１０の高さ方向中央にあり、ＬＥＤバー３Ａ、３Ｂから等距離（ｓ１＝ｓ２）に設置されている。
【００１８】
上側のＬＥＤバー３Ａと導光板２との隙間ｓ１には、導光板２が熱膨張等で伸張してもＬＥＤバー３Ａに接触することを阻止する第一ストッパー１１が両端にそれぞれ固定されている。同様に、下側のＬＥＤバー３Ｂと導光板２との隙間ｓ２には、導光板２が伸張してもＬＥＤバー３Ｂに接触することを阻止する第二ストッパー１２が両端にそれぞれ固定されている。
【００１９】
導光板２の両側の側部２ｃ、２ｄにはその長手方向中央部にそれぞれ凹部１３、１４が形成されている。バックライトシャーシ１０には一方の凹部１３に係合して導光板２を支持する導光板保持用の第一金具１６が設けられ、他方の凹部１４に係合して導光板２を支持する導光板保持用の第二金具１７が設けられている。導光板２は熱膨張や熱収縮による伸縮や移動等を許容するために固定されておらず、エッジバックライト装置１を壁面やスタンド等に横置きに取り付けた場合、導光板２の凹部１３，１４を第一金具１６、第二金具１７で係止することでその重量を支持している。
図1に示す例では、凹部１３，１４の長さ、第一金具１６、第二金具１７の長さが相違している。しかも、凹部１３，１４は第一金具１６、第二金具１７より長く設定されているため、導光板２は上下方向に移動可能とされている。
【００２０】
また、上側のＬＥＤバー３Ａの両端部には、導光板２の上面２ａとの距離を測定するための距離検出センサ２０がそれぞれ固定されている。なお、ＬＥＤバー３Ａに設置された距離検出センサ２０は２個に限定されるものではなく、１個でもよいし、３個以上の適宜の複数個設置されていてもよい。本実施形態では、下側のＬＥＤバー３Ｂには距離検出センサ２０は設置されていない。
本実施形態において、導光板２の縦方向の寸法Ｔや上側のＬＥＤバー３Ａから上面２ａまでの寸法Ｄ１と下面２ｂからＬＥＤバー３Ｂまでの寸法Ｌ２は予め設計によって定められている。そのため、距離検出センサ２０によって上側のＬＥＤバー３Ａと導光板２の上面２ａとの距離Ｄ１を測定することで、下側のＬＥＤバー３Ｂと下面２ｂとの距離Ｄ２を演算できる。
【００２１】
エッジバックライト装置１は、ＬＥＤバー３Ａ、３Ｂの光量調整装置１９として、距離検出センサ２０と、距離Ｄ１、Ｄ２の差に基づいてＬＥＤバー３Ａ、３Ｂの各発光量を調整する発光量制御部２１と、それぞれ設定されたＬＥＤバー３Ａ、３Ｂの発光量を出力する表示用回路２４とを備えている。
２つの距離検出センサ２０で検出された左右両端部のＬＥＤバー３Ａと導光板２の上面２ａとの間の距離Ｄ１のデータは、発光量制御部２１の比較演算手段２２に入力される。比較演算手段２２では、例えば２つの距離Ｄ１のデータの平均値をとり、下側のＬＥＤバー３Ｂと下面２ｂとの距離Ｄ２を演算し、距離Ｄ１及び距離Ｄ２を比較してより長い方と短い方を選定する。発光量演算手段２３では、距離Ｄ１、Ｄ２の長さの差に応じて長い方のＬＥＤバー３Ａ、３Ｂの発光量を上昇させ、短い方のＬＥＤバー３Ａ、３Ｂの発光量を降下させるよう、ＬＥＤバー３Ａ、３Ｂの各発光量Ｌ１、Ｌ２をそれぞれ演算する。
そして、発光量演算手段２３で演算した上側のＬＥＤバー３Ａの発光量Ｌ１と下側のＬＥＤバー３Ｂの発光量Ｌ２の信号を表示用回路２４に出力する。
【００２２】
表示用回路２４では、設定された上側のＬＥＤバー３Ａの発光量Ｌ１、下側のＬＥＤバー３Ｂの発光量Ｌ２の信号を各ＬＥＤバー３Ａ、３Ｂの駆動機構に出力して、導光板２に入射させる各発光量を調整する。これらの距離Ｄ１及び距離Ｄ２に基づいて、導光板２に入射する輝度分布が均一になるよう調整して最適な輝度分布を維持する。
なお、２つの距離検出センサ２０でそれぞれ測定した距離Ｄ１のデータの平均値をとる手法にかえて、各ＬＥＤバー３Ａ，３ＢにおけるＬＥＤ素子列を左右方向の２つのブロックに分割して、各２つの距離Ｄ１、Ｄ２に基づいて、各ブロックごとにＬＥＤ素子の発光量を互いに設定するようにしてもよい。
【００２３】
本実施形態によるエッジバックライト装置１は上述した構成を備えており、次に光量調整方法について説明する。
エッジバックライト装置１を備えた液晶表示装置５を例えば横置きにして壁やスタンド等に設置した状態で、エッジバックライト装置１は図１に示すように導光板２の両側部２ｃ、２ｄの凹部１３，１４が第一金具１６，第二金具１７に係止されて支持されている。この状態で、導光板２は設計時のものと比較して重力によって下方に垂下されており、上側のＬＥＤバー３Ａの両端部に固定した２つの距離検出センサ２０によって導光板２の上面２ａとの距離Ｄ１を測定し、発光量制御部２１に入力する。
【００２４】
発光量制御部２１内では、測定された距離Ｄ１のデータに基づいて比較演算手段２２で下側のＬＥＤバー３Ｂと導光板２の下面２ｂとの距離Ｄ２を演算し、距離Ｄ１との差を求める。そして、発光量演算手段２３で距離Ｄ１と距離Ｄ２の差の大きさから上側のＬＥＤバー３Ａの発光量Ｌ１と下側のＬＥＤバー３Ｂの発光量Ｌ２とを演算し、表示用回路２４に出力する。
表示用回路２４からの出力により、導光板２の上面２ａとの距離Ｄ１が比較的大きい上側のＬＥＤバー３Ａでは距離Ｄ２との差に応じて発光量を増大させる。また、導光板２の下面２ｂとの距離Ｄ２が比較的小さい下側のＬＥＤバー３Ｂでは発光量を減少させる。なお、距離Ｄ１と距離Ｄ２が等しい場合にはＬＥＤバー３Ａの発光量Ｌ１とＬＥＤバー３Ｂの発光量Ｌ２を変化させなくてよい。これにより、導光板２へ入射する入射光量の輝度分布が均一になるように調整して、最適な輝度分布を維持できる。
【００２５】
上述したように本実施形態によるエッジバックライト装置１及び輝度調整方法によれば、上下のＬＥＤバー３Ａ、３Ｂに対して導光板２が移動したとしても、発光量制御部２１でＬＥＤバー３Ａ、３Ｂの各発光量を調整することで導光板２への入射光量が全体に均一な輝度分布となるよう調整することができる。
しかも、ＬＥＤバー３Ａの両端部に距離検出センサ２０を設けたため、ＬＥＤバー３Ａと導光板２の上面２ａとの距離を精度よく測定できる。
【００２６】
なお、本発明は上述の実施形態によるエッジバックライト装置１とその輝度調整方法に限定されることはなく、本発明の趣旨を逸脱しない範囲で適宜の変更や置換等が可能であり、これらはいずれも本発明に含まれる。次に本発明の他の実施形態や変形例について説明するが、上述した実施形態と同一または同様な部分、部材には同一の符号を用いて説明する。
例えば、上述した第一実施形態において、距離検出センサ２０は上側のＬＥＤバー３Ａに代えて下側のＬＥＤバー３Ｂの両端部に設置してもよい。また、距離検出センサ２０は必ずしもＬＥＤバー３Ａ、３Ｂに設置しなくてもよく、例えばバックライトシャーシ１０等に取り付けてもよい。
【００２７】
次に本発明の第二実施形態によるエッジバックライト装置１Ａについて図３により説明する。
第一実施形態によるエッジバックライト装置１では、導光板２が熱によって膨張または収縮するとその上下方向の長さＴが伸縮するため、一方のＬＥＤバー３Ａ，３Ｂの両端部に距離検出センサ２０を設けた構成では、導光板２を通して表示画面の精度の良い輝度調整を行えないという課題があった。本第二実施形態ではこのような場合にも精度の良い輝度調整を行えるようにしたエッジバックライト装置１Ａを提供するものである。
【００２８】
本第二実施形態によるエッジバックライト装置１Ａでは、上側のＬＥＤバー３Ａの両端部に距離検出センサ２０を設けた構成に加えて、下側のＬＥＤバー３Ｂの両端部にも距離検出センサ３０をそれぞれ固定した。上側の距離検出センサ２０では上側のＬＥＤバー３Ａと導光板２の上面２ａとの距離Ｄ１のデータを測定する。下側の距離検出センサ３０では下側のＬＥＤバー３Ｂと導光板２の下面２ｂとの距離Ｄ２のデータを測定する。
或いは、上側のＬＥＤバー３Ａと下側のＬＥＤバー３Ｂに距離検出センサ２０、３０を１個ずつ固定してもよく、任意の位置に設置できる。
【００２９】
光量調整装置１９において、発光量制御部２１の比較演算手段２２では、上側のＬＥＤバー３Ａの両端部に設けた距離検出センサ２０で検出した距離Ｄ１のデータが入力されると共に、下側のＬＥＤバー３Ｂの両端部に設けた距離検出センサ３０で検出した距離データＤ２が入力される。そして、距離Ｄ１とＤ２のデータの長短を比較演算する。発光量演算手段２３では距離Ｄ１とＤ２のデータの差の大きさから導光板２との距離の長い方のＬＥＤバー３Ａ，３Ｂの発光量を長さの差に応じて増大させ、導光板２との距離の短い方のＬＥＤバー３Ａ，３Ｂの発光量を長さの差に応じて減少させるよう演算する。
【００３０】
これらの発光量に応じた信号を表示用回路２４からＬＥＤバー３Ａ，３Ｂに出力することで、ＬＥＤバー３Ａ，３Ｂから導光板２に入射する発光量を調整して均一な輝度分布になるよう調整する。なお、ＬＥＤバー３Ａ、３Ｂから導光板２までの距離Ｄ１、Ｄ２が等しい場合には、ＬＥＤバー３Ａ、３Ｂの発光量は等しい値に維持される。そのため、常に最適な輝度分布を維持できる。
【００３１】
上述のように、本第二実施形態によるエッジバックライト装置１Ａによれば、上下位置に固定されたＬＥＤバー３ＡとＬＥＤバー３Ｂの間に導光板２を配設した状態で、導光板２が熱膨張や熱収縮した場合でも、距離検出センサ２０，３０によってそれぞれ測定した導光板２までの距離Ｄ１と距離Ｄ２に基づいてＬＥＤバー３ＡとＬＥＤバー３Ｂの発光量を調整して、導光板２の輝度分布を均一に維持することができる。
【００３２】
次に本発明の第三実施形態によるエッジバックライト装置１Ｂについて図４により説明する。本第三実施形態では、縦置き状態に設置したエッジバックライト装置１Ｂを示すものである。
本実施形態では、エッジバックライト装置１Ｂを横置き状態から縦置き状態に変更する場合や移動時等に、導光板２が左右方向にスライド移動するおそれがある。このような場合、導光板２の移動を距離検出センサ２０，３０で検出する必要がある。
そのため、本実施形態によるエッジバックライト装置１Ｂでは、第二実施形態によるエッジバックライト装置１Ｂと同様な構成を採用し、縦置き状態に変更した。本第三実施形態では、導光板２の左右にＬＥＤバー３ＡとＬＥＤバー３Ｂが配設されている。導光板２は凹部１３、１４と第一金具１６，第二金具１７との間隙の範囲で横方向にスライド可能であり、熱膨張と熱収縮によって横方向に伸縮可能である。
【００３３】
そして、導光板２の移動時や熱収縮の際に、ＬＥＤバー３ＡとＬＥＤバー３Ｂの両端部にそれぞれ設けた距離検出センサ２０と距離検出センサ３０によって導光板２との距離Ｄ１，Ｄ２を測定して発光量制御部２１に入力する。発光量制御部２１では距離Ｄ１，Ｄ２の差を演算してＬＥＤバー３ＡとＬＥＤバー３Ｂの発光量の一方を増大させ、他方を減少させる調整を行う。そして、表示用回路２４を介してＬＥＤバー３ＡとＬＥＤバー３Ｂの各発光量Ｌ１、Ｌ２を増減調整して導光板２への入射光量が均一になるよう調整することができる。
そのため、本実施形態によるエッジバックライト装置１Ｂにおいても、第二実施形態によるものと同様な作用効果を奏することができる。
【００３４】
なお、上述した各実施形態では、発光量制御部２１によってＬＥＤバー３Ａ、３Ｂの一方の光量を増大させ、他方の光量を減少させることで、導光板２の均一な輝度分布を維持するようにしたが、本発明はこのような構成に限定されない。例えば、導光板２との距離の短い方のＬＥＤバー３Ａまたは３Ｂの光量を小さく増大させ、導光板２との距離の長い方のＬＥＤバー３Ａまたは３Ｂの光量を大きく増大させることで、均一な輝度分布を維持できるよう調整してもよい。
或いは、これとは逆に、導光板２との距離の短い方のＬＥＤバー３Ａまたは３Ｂの光量を大きく減少させ、導光板２との距離の長い方のＬＥＤバー３Ａまたは３Ｂの光量を小さく減少させることで、均一な輝度分布を維持できるよう調整してもよい。
【００３５】
また、本発明において、ＬＥＤバー３Ａ，３Ｂの一方は第一光源に含まれ、他方は第二光源に含まれる。また、ＬＥＤバー３Ａと導光板２との間の距離Ｄ１は第一の距離に含まれ、ＬＥＤバー３Ｂと導光板２との間の距離Ｄ２は第二の距離に含まれる。
【符号の説明】
【００３６】
１、１Ａ、１Ｂ  エッジバックライト装置
２  導光板
３Ａ、３Ｂ  ＬＥＤバー
５  液晶表示装置
７  液晶表示パネル
１１  第一ストッパー
１２  第二ストッパー
１３、１４  凹部
１６  第一金具
１７  第二金具
１９  光量調整装置
２０、３０  距離検出センサ
２１  発光量制御部
２２  比較演算手段
２３  発光量演算手段
２４  表示用回路
【図１】
2019153515.tif 000003
【図２】
2019153515.tif 000004
【図３】
2019153515.tif 000005
【図４】
2019153515.tif 000006
【図５】
2019153515.tif 000007
【図６】
2019153515.tif 000008
【図７】
2019153515.tif 000009
【図８】
2019153515.tif 000010
【図９】
2019153515.tif 000011
【図１０】
2019153515.tif 000012